(57)【要約】【課題】実画像の代わりに自分の代理画像を用いてテレビ電話による通話を行う際に、互いのプライバシーを保護しつつ、ユーザの現状を略々正確に相手に伝える通信を可能とする。【解決手段】ＧＰＳセンサ４，タイマ５，光センサ６，温度センサ７，マイクロホン装置８により、ユーザの携帯電話機の周囲の環境を検出し、この環境を示す衣装，装飾品，動作，あいさつ，背景，ＢＧＭ等を反映させた代理画像を形成し、これを互いに送受信して通話を行う。これにより、ユーザの現状を正確に示す代理画像を形成することができ、ユーザのプライバシーを保護しつつ、現状を略々正確に相手に伝える通話を可能とすることができる。【選択図】  図１
2004274550.tif 000002
【特許請求の範囲】
【請求項１】
少なくともユーザの代理となる代理画像を送受信して通信を行う機能を有する移動体通信端末装置であって、
周囲の環境を検出する環境検出手段と、
上記環境検出手段で検出された周囲の環境に対応する環境画像を形成する環境画像形成手段と、
上記環境画像形成手段で形成された環境画像を付加して上記代理画像を形成する代理画像形成手段と、
上記代理画像形成手段で形成された代理画像を送信する送信手段と
を有する移動体通信端末装置。
【請求項２】
請求項１記載の移動体通信端末装置であって、
上記環境検出手段で検出される周囲の各環境毎に、該各環境に対応する環境画像を指定するための環境画像指定手段と、
上記環境画像指定手段により指定された環境画像に対応する環境画像情報を記憶する環境画像記憶手段を有し、
上記環境画像形成手段は、上記環境検出手段により検出される現在の周囲の環境を示す情報と、この環境検出手段により検出された現在の周囲の環境に対応して上記環境画像記憶手段から読み出した環境画像情報とに基づいて、上記環境画像を形成すること
を特徴とする移動体通信端末装置。
【請求項３】
請求項１又は請求項２記載の移動体通信端末装置であって、
上記環境検出手段は、位置，日時，照度，温度，湿度，音量のうち、少なくとも一つを検出すること
を特徴とする移動体通信端末装置。
【請求項４】
請求項１から請求項３のうち、いずれか一項記載の移動体通信端末装置であって、
上記環境検出手段で検出された周囲の環境に対応する文字及び音声のうち、少なくとも一方を形成する文字／音声形成手段を有し、
上記代理画像形成手段は、上記文字／音声形成手段により形成された文字及び音声のうち、少なくとも一方を付加して上記代理画像を形成すること
を特徴とする移動体通信端末装置。
【発明の詳細な説明】
【０００１】
【発明の属する技術分野】
本発明は、少なくとも代理画像機能及び通信機能を備えた、例えば携帯電話機，ＰＨＳ電話機（ＰＨＳ：Ｐｅｒｓｏｎａｌ  Ｈａｎｄｙｐｈｏｎｅ  Ｓｙｓｔｅｍ  ），ＰＤＡ装置（ＰＤＡ：Ｐｅｒｓｏｎａｌ  Ｄｉｇｉｔａｌ（Ｄａｔａ）  Ａｓｓｉｓｔａｎｔ）等に設けて好適な移動体通信端末装置に関する。
【０００２】
【従来の技術】
今日において、テレビ電話機能が設けられた携帯電話機が知られている。このテレビ電話機能は、携帯電話機に設けられたカメラ装置により撮像された画像を、例えばモーションＪＰＥＧやＭＰＥＧ４等の画像圧縮技術を使って圧縮処理し、この圧縮処理した画像情報を、マイクロホン装置で収集された音声情報と共に送受信することで、互いに相手の顔等を確認しながら通話を行うことを可能としている。
【０００３】
ここで、近い将来、移動体通信端末装置の事業者仕様として、携帯電話機にテレビ電話機能を設けることが必須となる。
【０００４】
しかし、電話は、受け側の現状に拘わらず突然掛かってくる場合が多い。テレビ電話機能は、受け側の現状をそのまま映し出してしまうため、ユーザにとって都合の悪い面も持ち合わせている。
【０００５】
具体的には、例えば女性の場合、化粧をしていないときに人前に出ることを嫌う傾向にあるが、この場合でもテレビ電話機能は、女性の素顔を映し出してしまうため、テレビ電話機能が女性にとって都合の悪い機能となるおそれがある。
【０００６】
或いは、家事や育児をしている最中に手が離せない場合でも、テレビ電話機能は、その忙しい現状を映し出してしまうため、テレビ電話機能がユーザにとって都合の悪い機能となるおそれがある。
【０００７】
このため、このような不都合を解決するために、特開２０００−１７５１６８号の公開特許公報に、通話者の実映像の代わりとなる任意に可変可能なキャラクタ画像等の「代理画像」を互いの画面に表示することで、互いのプライバシーを保護しながらテレビ電話機能を用いた通話を可能とする代理画像通信装置及び方法が提案されている。
【０００８】
この代理画像通信装置及び方法では、画像メモリに通話者の実像に代わる代理画像を各種のキーコードに対応付けて記憶しておき、制御部の制御によって、その記憶された自己の代理画像を相手の代理画像通信装置へ通信する。また、相手からの代理画像を受信すると、これを画像メモリ部に記憶した後、相手から送信されてきたキーコードに対応する相手の代理画像を画像メモリ部から読み出して表示部に表示する。
【０００９】
これにより、互いに代理画像を介して通話を行うこととなるため、テレビ電話機能の使用時に互いのプライバシーを保護しながら通話を行うことが可能となる。
【００１０】
また、この代理画像通信装置及び方法では、動作に対応するキーコードを送受信して、該キーコードに対応した動作を行う代理画像を表示するようになっている。これにより、代理画像の動作をも表現可能となっている。
【００１１】
【特許文献】
特開２０００−１７５１６８号公報（第４頁〜第６頁、図３）
【００１２】
【発明が解決しようとする課題】
しかし、このような特開２０００−１７５１６８号公報に開示されている代理画像通信装置及び方法は、所望の表情や動作に対応するキーコードを選択することで、該所望の表情や動作の代理画像を表示することができるのはよいが、この表示は代理画像の表示のみであるため、ユーザの現状を正確に相手に伝えることが困難であった。
【００１３】
具体的には、例えばユーザが電車の中にいた場合、代理画像のみを表示しても、代理画像の表情や動作だけでは、「ユーザが電車の中にいる」という現状を相手に伝えることは困難である。
【００１４】
同様に、例えばユーザが登山中であった場合にも、代理画像のみを表示したのでは、この「登山中である」という現状を相手に伝えることは困難である。
【００１５】
さらに、例えばユーザが観光地にいた場合、代理画像のみ表示したのでは、この「ユーザが観光地に居る」という現状を相手に伝えることは困難である。
【００１６】
そして、互いの現状を正確に相手方に伝えることにより、より親密なコミュニケーションを確立することが可能となる。
【００１７】
しかし、その一方で、ユーザの現状を相手に伝える場合でも、代理画像の使用目的である、ユーザのプライバシーの保護ということを満足させる必要がある。
【００１８】
本発明は、上述の課題に鑑みてなされたものであり、互いのプライバシーを保護しつつも、ユーザの現状を略々正確に相手方に伝え、より親しみの湧くコミュニケーションを図ることができるような移動体通信端末装置の提供を目的とする。
【００１９】
【課題を解決するための手段】
本発明は、環境検出手段で検出された周囲の環境に対応する環境画像を付加して代理画像を形成し、これを送受信することで、互いのプライバシーを保護しつつも、ユーザの現状を略々正確に相手方に伝え、より親しみの湧くコミュニケーションを図ることを可能とする。
【００２０】
【発明の実施の形態】
本発明は一例として、携帯電話機に適用することができる。この本発明の実施の形態となる携帯電話機は、カメラ装置で撮像された画像と共に音声情報を送受信することにより、画像及び音声でコミュニケーションを図るテレビ電話機能を有している。このテレビ電話機能は、カメラ装置で撮像された実画像を送受信する「実画像モード」と、カメラ装置で撮像された実画像の代わりに、コンピュータグラフィックス等のユーザの代理画像を送受信する「代理画像モード」との２つの動作モードを有している。
【００２１】
この実施の形態の携帯電話機は、上記「代理画像モード」において、代理画像に対して、ユーザの周囲の環境に対応する背景や服装等の様々な画像（以下、これらをまとめて環境画像という。）を付加して送受信を行うことを特徴としている。
【００２２】
［携帯電話機の構成］
図１に、この実施の形態となる携帯電話機の要部のブロック図を示す。この図１において、この実施の形態の携帯電話機は、画像情報及び音声情報を送受信するアンテナ１と、該各情報に対して符号化／復号化処理や変調／復調処理等の所定の情報処理を施す送受信部２と、上記「実画像モード」の実行時にユーザ等を撮像するカメラ装置３を有している。
【００２３】
なお、この例では、上記「代理画像モード」の実行時において、カメラ装置３で撮像された実画像の代わりに、コンピュータグラフィックス等で形成された代理画像を用いることとして説明を進めるが、「代理画像モード」の実行時に、このカメラ装置３で撮像された実画像に基づいてユーザの代理画像となるコンピュータグラフィックスを略々リアルタイムで形成して用いるようにしてもよい。
【００２４】
また、この携帯電話機は、当該携帯電話機の位置（緯度及び軽度）や高度を検出するＧＰＳセンサ４と、現在の時刻をカウントするタイマ５と、当該携帯電話機の周囲の明るさを検出する光センサ６と、当該携帯電話機の周囲の温度を検出する温度センサ７と、ユーザの声や当該携帯電話機の周囲の音声を集音するマイクロホン装置８と、受信側に送信する当該代理画像モードにおける各メニュー等を表示する表示部９とを有している。
【００２５】
また、この携帯電話機は、地図情報が記憶された地図情報メモリ１０と、代理画像、及びこの代理画像の背景や服装等の上記環境画像を形成する際の画材となるポリゴンデータやテクスチャデータ等の画材情報が記憶された画材メモリ１１とを有している。
【００２６】
また、この携帯電話機は、当該「代理画像モード」に関する操作を行うための操作部１２と、上記ＧＰＳセンサ４〜マイクロホン装置８の各出力に基づいて、上記画材メモリ１１に記憶されている画材情報を用いて代理画像及び環境画像を描画処理する描画処理部１３と、後に説明するユーザの日常行動する行動範囲や、年齢，性別，乗車駅，下車駅等のユーザ情報が記憶されるユーザ情報メモリ１４と、当該携帯電話機全体の動作制御を行う制御部１６（ＣＰＵ）とを有している。
【００２７】
なお、画材メモリ１１に記憶される画材情報は、代理画像や環境画像を描画する際に用いられるのであるが、この画材情報としては、最初にいくつかの画材情報を記憶しておき、所定のサーバ装置から追加的或いは更新的にダウンロードして該画材メモリ１１に記憶させるようにしてもよい。
【００２８】
また、上記マイクロホン装置８としては、通話時にユーザの音声を集音するマイクロホン装置が併用されている（携帯電話機の周囲の音声を集音するマイクロホン装置を別途設けるようにしてもよい。）。
【００２９】
［初期設定］
このような携帯電話機では、初期設定として、テレビ電話機能を用いて通信を行う場合に代理画像を用いるか否か（代理画像モードのオン／オフ）、代理画像モードを用いる場合に「使用する代理画像の選択」、定常エリアにおける環境画像の設定、及び特定エリアにおける環境画像の設定を行う。
【００３０】
〔代理画像モードのオン／オフ設定〕
まず、ユーザは、テレビ電話機能を用いて通信を行う際に、上記「実画像モード」で通信を行うか、「代理画像モード」で通信を行うかを設定する。この設定は、「代理画像モード」のオン／オフを操作部１２を操作して行うようになっており、ＣＰＵ１６は、この代理画像モードのオン／オフ設定情報をユーザ情報メモリ１４に記憶しておく。
【００３１】
〔代理画像（アバタ）の選択〕
また、代理画像モードがオン設定された場合、ユーザは代理画像の選択を行う。ＣＰＵ１６は、ユーザが操作部１２を操作することで「代理画像の選択」が指定されると、まず、ユーザが自己の性別（男性／女性）を選択するための選択画面を表示し、ユーザにより性別が選択されると、その性別のいくつかのタイプの代理画像を表示する。
【００３２】
この代理画像のタイプは、体格，人相，髪型等がそれぞれ異なっており、ユーザは、表示されるタイプの代理画像の中から自分に似たタイプの代理画像を選択する。ＣＰＵ１６は、ユーザにより所望の代理画像が選択されると、この選択された代理画像を特定するための情報を、ユーザ情報メモリ１４に記憶制御する。
【００３３】
なお、代理画像としては、人間の画像のみならず、動物や架空の生物等でもよい。
【００３４】
また、代理画像は予め用意されている複数の代理画像の中から、ユーザが所望の代理画像を選択することとしたが、これは、例えば眉毛，髪型，口，鼻，体型等の各パーツ毎にユーザが選択を行い、ユーザが代理画像を自分で形成するようにしてもよい。
【００３５】
さらに、ユーザがカメラ装置３で自分を撮像し、ＣＰＵ１６が、この撮像された画像を略々リアルタイムでコンピュータグラフィック化して代理画像を形成するようにしてもよい。この場合、代理画像を形成する元となる画像がユーザの実画像であるため、よりユーザに似ている代理画像を形成することができる。
【００３６】
〔定常エリアの登録〕
次にユーザは、自分が常日頃の行動範囲である定常エリアの各場所や、該各場所に対応する環境画像の設定を行う。
【００３７】
この定常エリアとなる場所の設定を行う場合、ユーザは、操作部１２を操作して地図の表示を指定する。ＣＰＵ１６は、この指定がなされると地図情報メモリ１０から地図情報を読み出し、これを表示部９に表示制御する。ユーザは、この表示部９に表示される地図に基づいて、「自宅」，「職場」，「乗車駅」，「下車駅」等の日頃行動している場所を登録操作する。
【００３８】
これにより、ＣＰＵ１６は、ユーザにより指定された場所の緯度，経度，高度をユーザの「定常エリア」として、ユーザ情報メモリ１４に記憶制御する。
【００３９】
次に、ユーザは、操作部１２を操作して、上記「定常エリア」として登録した各場所における環境画像の設定を行う。
【００４０】
この各場所の環境画像としては、図２に示すように自宅，通勤中，職場・・・等の各エリア毎に、衣装，装飾品，動作，あいさつ，背景，バックグランドミュージック（ＢＧＭ）等が設定されるようになっている。また、これら衣装，装飾品，動作，あいさつ，背景，ＢＧＭ等は、タイマにより検出される朝，昼，夜，深夜等の時間帯毎、光センサ６により検出される携帯電話機の周囲の明るさ、温度センサによって検出される携帯電話機の周囲の温度（湿度センサを設け湿度も併用してもよい。）、マイクロホン装置８により検出される携帯電話機の周囲の雑音等毎に設定可能となっている。
【００４１】
一例ではあるが、ユーザが「朝」に「自宅」に居ることを想到した環境画像の設定を行う場合、「衣装」としては「スエットスーツ」を選択し、装飾品は「無し」を選択し、「動作」としては「歯磨きをしている動作」を選択し、「あいさつ」としては「おはようございます」を選択し、背景としては「日の出」の背景を選択し、「ＢＧＭ」としては「ラジオ体操のＢＧＭ」を選択する。
【００４２】
また、ユーザが「夜」に「自宅」に居ることを想到した環境画像の設定を行う場合、「衣装」としては「パジャマ」を選択し、装飾品は「無し」を選択し、「動作」としては「眠そうに目を擦る動作」を選択し、「あいさつ」としては「おやすみなさい」を選択し、背景としては「星が出ている夜空」の背景を選択し、「ＢＧＭ」としては「静かな曲のＢＧＭ」を選択する。
【００４３】
また、ユーザが「朝」に「通勤中」であることを想到した環境画像の設定を行う場合、「衣装」としては「スーツ」を選択し、装飾品は「時計」を選択し、「動作」としては「満員電車に揺られている動作」を選択し、「あいさつ」としては「只今、通勤中です」を選択し、背景としては「ゴー」との文字を選択し（画像のみならず、文字を選択可能としてもよい。）、「ＢＧＭ」としては「活発な曲のＢＧＭ」を選択する。
【００４４】
また、ユーザが「昼」に「職場」に居ることを想到した環境画像の設定を行う場合、「衣装」としては「スーツ」を選択し、装飾品は「時計」を選択し、「動作」としては「机に向かって仕事をしている動作」を選択し、「あいさつ」としては「こんにちは」を選択し、背景としては「オフィスの内装」の背景を選択し、「ＢＧＭ」としては「活発な曲のＢＧＭ」を選択する。
【００４５】
このように、ユーザにより各場所毎及び各時間帯毎に環境画像が選択されると、ＣＰＵ１６は、該環境画像に関する情報をそれぞれユーザ情報メモリ１４に記憶制御する。
【００４６】
〔特定エリアの登録〕
次にユーザは、自分が常日頃の行動範囲である定常エリア以外のエリアである特定エリアの各場所や、該各場所に対応する環境画像の設定を行う。
【００４７】
この特定エリアとなる場所の設定を行う場合、前述と同様に、ユーザは、操作部１２を操作して地図の表示を指定する。ＣＰＵ１６は、この指定がなされると地図情報メモリ１０から地図情報を読み出し、これを表示部９に表示制御する。ユーザは、この表示部９に表示される地図に基づいて、「ハワイ（国内外を問わず登録可）」，「富士山」，「アミューズメントパーク」，「温泉」，「祖父の家」等の日頃行動している場所以外の場所を登録操作する。
【００４８】
これにより、ＣＰＵ１６は、ユーザにより指定された場所の緯度，経度，高度をユーザの「定常エリア」として、ユーザ情報メモリ１４に記憶制御する。
【００４９】
次に、ユーザは、操作部１２を操作して、上記「特定エリア」として登録した各場所における環境画像の設定を行う。
【００５０】
この各場所の環境画像としては、図３に示すようにアミューズメントパーク，ハワイ，富士山・・・等の各場所や外国毎に、衣装，装飾品，動作，あいさつ，背景，バックグランドミュージック（ＢＧＭ）等が設定されるようになっている。また、前述と同様に、衣装，装飾品，動作，あいさつ，背景，バックグランドミュージック（ＢＧＭ）等は、朝，昼，夜，深夜等の時間帯毎に設定可能となっている。
【００５１】
一例ではあるが、ユーザが「昼」に「ハワイ」に居ることを想到した環境画像の設定を行う場合、「衣装」としては「ムームー」や「水着」を選択し、装飾品は「サーフボード」や「浮き輪」を選択し、「動作」としては「手を振っている動作」を選択し、「あいさつ」としては「アロハー」を選択し、背景としては「日差しの強い太陽」の背景を選択し、「ＢＧＭ」としては「ハワイアンミュージックのＢＧＭ」を選択する。
【００５２】
また、ユーザが「昼」に「アミューズメントパーク」に居ることを想到した環境画像の設定を行う場合、「衣装」としては「Ｔシャツ」を選択し、装飾品は「時計」を選択し、「動作」としては「手を振る動作」を選択し、「あいさつ」としては「こんにちは」を選択し、背景としては「遊園地」の背景を選択し、「ＢＧＭ」としては「ゲーム音楽のＢＧＭ」を選択する。
【００５３】
また、ユーザが「昼」に「富士山」に居る場合の環境画像の設定を行う場合、「衣装」としては「山登りの衣装」を選択し、装飾品は「時計」を選択し、「動作」としては「坂道を上っている動作」を選択し、「あいさつ」としては「こんにちは」を選択し、背景としては「富士山」の背景を選択し、「ＢＧＭ」としては「活発な曲のＢＧＭ」を選択する。
【００５４】
このように、ユーザにより各エリア毎及び各時間帯毎に環境画像が選択されると、ＣＰＵ１６は、該環境画像に関する情報をそれぞれユーザ情報メモリ１４に記憶制御する。
【００５５】
〔代理画像に環境画像を付加した通信動作〕
次に、このように初期設定が終了すると、以後、ＣＰＵ１６は、テレビ電話機能の「代理画像モード」において、上記ユーザ情報メモリに登録された情報と、ＧＰＳセンサ４〜マイクロホン装置８の各出力に基づいて、代理画像を用いた通信制御を行う。
【００５６】
図４のフローチャートに、この代理画像を用いた通信制御の流れを示す。この図４のフローチャートは、ＣＰＵ１６が、送信側からの呼び出しを検出したタイミング、或いはユーザが電話を掛ける操作を行ったタイミングでスタートとなる。
【００５７】
ステップＳ１では、ＣＰＵ１６が、ＧＰＳセンサ４により計測された、そのユーザの携帯電話機が位置する場所の緯度，経度及び高度（位置情報）を取り込む。
【００５８】
ステップＳ２では、ＣＰＵ１６が、タイマ５により計測された、現在の日時（月，日，時刻＝日時情報＝時間情報）を取り込む。
【００５９】
ステップＳ３では、ＣＰＵ１６が、上記ステップＳ１で取り込んだ、現在の携帯電話機の上記位置情報と、上記ユーザ情報メモリ１４に記憶されている上記場所に関する情報とを比較し、携帯電話機が位置する現在の国や場所を判別する。そして、ステップＳ４及びステップＳ５において、現在、携帯電話機が位置している場所は、「定常エリア」であるのか（ステップＳ４）、或いは「特定エリア」であるのか（ステップＳ５）を判別する。
【００６０】
すなわち、前述のように、ユーザ情報メモリ１４には、「定常エリア」と「特定エリア」に分けて各場所の登録がなされている。このため、ＣＰＵ１６は、このステップＳ３〜ステップＳ５において、現在、携帯電話機が位置している場所は、「定常エリア」であるのか或いは「特定エリア」であるのか判別を行う。
【００６１】
この判別により、現在、携帯電話機が位置している場所が「定常エリア」であると判別した場合、ＣＰＵ１６は、ステップＳ７において、ＧＰＳセンサ４〜マイクロホン装置８からの各出力に基づいてユーザ情報メモリ１４から、対応する環境画像を検索すると共に、ＧＰＳセンサ４〜マイクロホン装置８からの各出力に基づいて現状を判断し、この判断結果に基づいて代理画像を描画処理し（代理画像に反映し）、これを相手方の携帯電話機に送信する。
【００６２】
すなわち、ユーザ情報メモリ１４に予め登録されている環境画像を、そのまま代理画像に反映させてもよいのであるが、この例の場合、ＧＰＳセンサ４〜マイクロホン装置８からの現在の各出力も考慮して環境画像を描画処理し、これを代理画像に反映させるようになっている。これにより、代理画像に対して、ユーザの現状を、より反映させることが可能となる。
【００６３】
これに対して、上記判別により、現在、携帯電話機が位置している場所が「特定エリア」であると判別した場合、ＣＰＵ１６は、ステップＳ６において、タイマ５〜マイクロホン装置８からの各出力に基づいてユーザ情報メモリ１４から、対応する環境画像を検索すると共に、ＧＰＳセンサ４〜マイクロホン装置８からの各出力に基づいて現状を判断し、この判断結果をも考慮して代理画像に反映させ、これを相手方の携帯電話機に送信する。
【００６４】
このようなステップＳ１〜ステップＳ７は、「代理画像モード」による通信が終了するまで、繰り返し実行される。
【００６５】
［実施の形態の効果］
以上の説明から明らかなように、当該実施の形態の携帯電話機は、複数のセンサ（一例として、ＧＰＳセンサ４〜マイクロホン装置８）を設け、これら各センサからの出力に基づいてユーザの現状を判断し、この判断結果に対応する環境画像を描画処理する。そして、この環境画像を、ユーザにより予め選択された代理画像に反映させて、相手の携帯電話機との間で送受信する。
【００６６】
これにより、代理画像を用いた通信であるため、互いのプライバシーを保護した通信を行うことができる。
【００６７】
また、ユーザの現状を略々正確に表した代理画像で通信を行うことができるため、互いを身近に感じながら、より親しみの湧くコミュニケーションを図ることを可能とすることができる。
【００６８】
〔他の適用分野〕
上述の実施の形態の説明では、本発明を、携帯電話機に適用することとしたが、本発明はこの他、ＰＨＳ電話機（ＰＨＳ：Ｐｅｒｓｏｎａｌ  Ｈａｎｄｙｐｈｏｎｅ  Ｓｙｓｔｅｍ）やＰＤＡ装置（ＰＤＡ：Ｐｅｒｓｏｎａｌ  Ｄｉｇｉｔａｌ（Ｄａｔａ）  Ａｓｓｉｓｔａｎｔ）等の移動体通信端末装置に適用してもよい。
【００６９】
また、上述の実施の形態の説明では、「代理画像モード」において、代理画像に対してユーザの周囲の環境に対応する環境画像を付加することとしたが、これは、画像情報のみならず、文字情報，音声情報等を付加してもよい。
【００７０】
また、上述の実施の形態の説明では、送信側の携帯電話機は環境画像を付加した代理画像を形成して受信側の携帯電話機に送信し、受信側の携帯電話機は、この受信した代理画像をそのまま表示する構成としたが、これは、送信側の携帯電話機は環境画像及び代理画像に対応するパラメータ情報のみを送信し（画像情報としてではなく、その画像を描画するためのデータとして送信し）、受信側の携帯電話機において、この受信したパラメータ情報に対応する環境画像及び代理画像を描画処理して表示するようにしてもよい。
【００７１】
この場合、送信側の携帯電話機は、パラメータ情報のみを送信すればよいため、送信側で環境画像及び代理画像を形成しなくてもよい分、該送信側の携帯電話機のデータ処理の負荷を軽減することができる。また、情報量の少ないパラメータ情報を送受信することで、高速通信を実現することができる。
【００７２】
或いは、送信側の携帯電話機は代理画像に対応するパラメータ情報を送信し、コミュニケーションネットワークのサーバ装置側で、このパラメータ情報に対応する代理画像を形成して受信側の携帯電話機に送信し、受信側の携帯電話機で、このサーバ装置側で形成された代理画像を表示するようにしてもよい。
【００７３】
この場合、代理画像を形成するために必要な画材メモリや描画処理手段、及び地図情報メモリ等は、上記サーバ装置側が備えればよいため、携帯電話機の構成を大幅に簡素化することができる。
【００７４】
最後に、上述の実施の形態は本発明の一例である。このため、本発明は、上述の実施形態に限定されることはなく、該実施の形態以外であっても、本発明に係る技術的思想を逸脱しない範囲であれば、設計等に応じて種々の変更が可能であることは勿論であることを付け加えておく。
【００７５】
【発明の効果】
本発明は、代理画像を用いた通信により、互いのプライバシーを保護した通信を行うことができる。また、上記代理画像及び該代理画像に付加された環境画像により、ユーザの現状を略々正確に相手に伝えることが可能な通信を行うことができる。
【００７６】
このため、代理画像を用いながらも互いを身近に感じる通信を行うことができ、より親しみの湧くコミュニケーションを図ることを可能とすることができる。
【図面の簡単な説明】
【図１】本発明を適用した実施の形態となる携帯電話機の要部のブロック図である。
【図２】上記実施の形態の携帯電話機に定常エリアとして設定する情報の一例を示す図である。
【図３】上記実施の形態の携帯電話機に特定エリアとして設定する情報の一例を示す図である。
【図４】上記実施の形態の携帯電話機のテレビ電話機能における「代理画像モード」で通信の流れを示すフローチャートである。
【符号の説明】
１…アンテナ、２…送受信部、３…カメラ装置、４…ＧＰＳセンサ、５…タイマ、６…光センサ、７…温度センサ、８…マイクロホン装置、９…表示部、１０…地図情報メモリ、１１…画材メモリ、１２…操作部、１３…描画処理部、１４…ユーザ情報メモリ、１５…スピーカ装置、１６…制御部（ＣＰＵ）
【図１】
2004274550.tif 000003
【図２】
2004274550.tif 000004
【図３】
2004274550.tif 000005
【図４】
2004274550.tif 000006